(57)【要約】【課題】一例として、スピーカを覆った覆部材から異音が生じるのを抑制することが可能なテレビジョン受像機および電子機器を得る。【解決手段】実施形態にかかるテレビジョン受像機は、筐体と、スピーカと、覆部材と、接触部材と、を備えた。前記筐体には、第一の開口部が設けられた。前記スピーカは、前記第一の開口部から露出する位置で前記筐体に収容された。前記覆部材には、複数の第二の開口部が設けられた。前記覆部材は、前記第一の開口部に設けられて前記筐体に固定され、前記スピーカを覆った。前記接触部材は、前記複数の第二の開口部のうちの一部を覆って前記覆部材に接触して設けられた。【選択図】図３
2013232777.tif 000002
【特許請求の範囲】
【請求項１】
第一の開口部が設けられた筐体と、
前記第一の開口部から露出する位置で前記筐体に収容されたスピーカと、
複数の第二の開口部が設けられ、前記第一の開口部に設けられて前記筐体に固定され、前記スピーカを覆った覆部材と、
前記複数の第二の開口部のうちの一部を覆って前記覆部材に接触して設けられた接触部材と、
を備えたテレビジョン受像機。
【請求項２】
前記接触部材は、前記覆部材に固定された、請求項１に記載のテレビジョン受像機。
【請求項３】
前記接触部材は、前記筐体に固定された、請求項１または２に記載のテレビジョン受像機。
【請求項４】
前記筐体は、第一の壁部と、前記第一の壁部に角度を有して接続された第二の壁部と、を有し、
前記第一の開口部は、前記第一の壁部と前記第二の壁部とに亘って設けられ、
前記覆部材は、前記第二の開口部が設けられ前記第一の壁部に位置された第一の部分と、前記第二の開口部が設けられ前記第一の部分に角度を有して接続され前記第二の壁部に位置された第二の部分と、を有した、請求項１ないし３のいずれか一項に記載のテレビジョン受像機。
【請求項５】
前記接触部材は、前記覆部材に対してスライド移動可能である請求項１に記載のテレビジョン受像機。
【請求項６】
前記筐体は、第一の壁部と、前記第一の壁部に角度を有して接続された第二の壁部と、を有し、
前記第一の開口部は、前記第一の壁部と前記第二の壁部とに亘って設けられ、
前記覆部材は、前記第二の開口部が設けられ前記第一の壁部に位置された第一の部分と、前記第二の開口部が設けられ前記第一の部分に角度を有して接続され前記第二の壁部に位置された第二の部分と、を有し、
前記接触部材は、前記第一の開口部のうち前記第一の壁部に設けられた部分を開閉可能である、請求項５に記載のテレビジョン受像機。
【請求項７】
前記第一の開口部のうち前記第一の壁部に設けられた部分を覆う位置と前記部分を露出させる位置とに移動可能に前記筐体に連結された可動体を備えた、請求項４ないし６のいずれか一項に記載のテレビジョン受像機。
【請求項８】
前記接触部材の少なくとも一部は、前記覆部材の前記スピーカとは反対側に位置された、請求項１ないし７のいずれか一項に記載のテレビジョン受像機。
【請求項９】
前記接触部材は、プレートである、請求項１ないし８のいずれか一項に記載のテレビジョン受像機。
【請求項１０】
第一の開口部が設けられた筐体と、
前記筐体に収容され、前記第一の開口部から前記筐体外部ヘ放音するスピーカと、
複数の第二の開口部が設けられ、前記第一の開口部に設けられて前記筐体に固定された覆部材と、
前記覆部材に接触して設けられた接触部材と、
を備えた電子機器。
【発明の詳細な説明】
【技術分野】
【０００１】
本発明の実施形態は、テレビジョン受像機および電子機器に関する。
【背景技術】
【０００２】
従来、収容したスピーカから出力された音を放出する開口部が設けられた筐体と、その開口部に設けられてスピーカを覆うネット形状の覆部材と、を備えた電子機器が知られている。
【先行技術文献】
【特許文献】
【０００３】
【特許文献１】特開２００１−１００８６２号公報
【発明の概要】
【発明が解決しようとする課題】
【０００４】
この種のテレビジョン受像機等の電子機器では、スピーカを覆った覆部材から異音が生じるのを抑制することが望ましい。
【０００５】
そこで、本発明の実施形態は、一例として、覆部材から異音が生じるのを抑制することが可能なテレビジョン受像機および電子機器を得ることを目的の一つとする。
【課題を解決するための手段】
【０００６】
実施形態にかかるテレビジョン受像機は、筐体と、スピーカと、覆部材と、接触部材と、を備えた。前記筐体には、第一の開口部が設けられた。前記スピーカは、前記第一の開口部から露出する位置で前記筐体に収容された。前記覆部材には、複数の第二の開口部が設けられた。前記覆部材は、前記第一の開口部に設けられて前記筐体に固定され、前記スピーカを覆った。前記接触部材は、前記複数の第二の開口部のうちの一部を覆って前記覆部材に接触して設けられた。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、第１実施形態にかかるテレビジョン受像機の一部の一例が示された正面図である。
【図４】図４は、図３のＦ４矢視図である。
【図５】図５は、図３のＦ５−Ｆ５断面図である。
【図６】図６は、第１実施形態の第１変形例にかかるテレビジョン受像機の一部の一例が示された正面図である。
【図７】図７は、図６のＦ７−Ｆ７断面図である。
【図８】図８は、第１実施形態の第２変形例にかかるテレビジョン受像機の一部の一例が示された正面図であって、覆部材が閉位置に位置した状態が示された図である。
【図９】図９は、第１実施形態の第２変形例にかかるテレビジョン受像機の一部の一例が示された正面図であって、覆部材が開位置に位置した状態が示された図である。
【図１０】図１０は、図８のＦ１０−Ｆ１０断面図である。
【図１１】図１１は、図９のＦ１１−Ｆ１１断面図である。
【図１２】図１２は、第１実施形態の第３変形例にかかるテレビジョン受像機の一部の一例が示された断面図であって、覆部材が閉位置に位置した状態が示された図である。
【図１３】図１３は、第１実施形態の第３変形例にかかるテレビジョン受像機の一部の一例が示された断面図であって、覆部材が開位置に位置した状態が示された図である。
【図１４】図１４は、第２実施形態にかかる電子機器の一例が示された斜視図である。
【図１５】図１５は、第２実施形態にかかる電子機器の一部の一例が示された斜視図である。
【図１６】図１６は、図１５のＦ１６矢視図である。
【図１７】図１７は、第２実施形態にかかる電子機器の内部構造の一部の一例が示された斜視図である。
【図１８】図１８は、第２実施形態にかかる電子機器の内部構造の一部の一例が示された斜視図である。
【図１９】図１９は、第２実施形態にかかる電子機器のスピーカの一例が示された斜視図である。
【発明を実施するための形態】
【０００８】
以下の例示的な複数の実施形態や変形例には、同様の構成要素が含まれている。よって、以下では、同様の構成要素には共通の符号が付されるとともに、重複する説明が部分的に省略される。各実施形態や変形例に含まれる部分は、他の実施形態や変形例の対応する部分と置き換えて構成されることができる。
【０００９】
また、以下の実施形態では、電子機器がテレビジョン受像機またはパーソナルコンピュータとして構成された場合が例示されるが、本実施形態にかかる電子機器は、これらには限定されない。本実施形態にかかる電子機器は、例えば、スマートフォンや、スマートブック、携帯電話機、ＰＤＡ（personal  digital  assistant）、映像表示装置、テレビ電話機、映像表示制御装置、情報記憶装置等、種々の電子機器として構成することができる。
【００１０】
＜第１実施形態＞
本実施形態では、一例として、図１，２に示されるように、電子機器の一例であるテレビジョン受像機１Ａは、支持部２Ａ（支部、台、スタンド）と、筐体３Ａと、を備える。具体的に、支持部２Ａは、机や、棚、台等の載置部（載置面、図示されず）上に載置され、筐体３Ａを起立された状態に支持する。支持部２Ａは、筐体３Ａを固定的に支持してもよいし、移動可能（回動可能、スライド可能）に支持してもよい。筐体３Ａの支持部２Ａに対する移動形態（回動形態）としては、例えばチルトや、スイベル、ピボット等がある。
【００１１】
また、本実施形態では、一例として、図１からわかるように、筐体３Ａは、正面視および背面視では矩形状（本実施形態では一例として長方形状）の外観を呈している。また、図２に示されるように、筐体３Ａは、前後方向（筐体３Ａの厚さ方向）に薄い偏平な直方体状に構成されている。筐体３Ａは、面３ａ（正面、前面、面部）とその反対側の面３ｂ（背面、後面、面部）と、を有する。面３ａと面３ｂとは略並行して（本実施形態では一例として平行に）設けられている。また、図１に示されるように、筐体３Ａは、正面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。端部３ｄ，３ｆは、短辺部の一例である。筐体３Ａは、一例としては、部品を収容する収容部として機能するとともに、重量物（表示装置４や部品等）を支える支部としても機能することができる。
【００１２】
また、筐体３Ａは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、矩形状（本実施形態では一例として長方形状）である。また、壁部３ｋは枠状であり、壁部３ｍは板状である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。壁部３ｋには、矩形状の開口部３ｒが設けられている。
【００１３】
さらに、筐体３Ａは、複数の部品（分割体、部材）が組み合わせられて構成されている。筐体３Ａは、一例としては、少なくとも壁部３ｋを含む第一部材３Ｆｒ（第一部分、前側部材、カバー、ベゼル、フレーム）と、少なくとも壁部３ｍを含む第二部材３Ｒｒ（第二部分、後側部材、ベース、ボトム、プレート、カバー）とを有する。また、壁部３ｎは、本実施形態では、一例として、第二部材３Ｒｒの一部として構成されている。なお、筐体３Ａは、第一部材３Ｆｒおよび第二部材３Ｒｒとは別に、第三部材（第三部分、中間部材、インナ、ミドルフレーム、ミドルプレート、図示されず）を備えることができる。第三部材の一部が、壁部３ｋ，３ｍ，３ｎの一部を構成することができる。第一部材３Ｆｒや、第二部材３Ｒｒ、第三部材等は、それぞれ、金属材料や合成樹脂材料等で構成されることができる。
【００１４】
また、本実施形態では、一例として、筐体３Ａ内には、表示装置４（表示部、ディスプレイ、パネル、表示部品）が収容されている。具体的には、表示装置４の、面３ａ側に位置した表示画面４ａは、開口部３ｒを介して筐体３Ａの前方（外方）に露出している。使用者は、前方側から開口部３ｒを介して表示画面４ａを視認することができる。表示装置４は、正面視では矩形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid  crystal  display）や、有機ＥＬディスプレイ（ＯＥＬＤ，organic  electro-luminescent  display）、プラズマディスプレイ（ＰＤＰ，plasma  display  panel）等である。
【００１５】
また、本実施形態では、一例として、表示装置４の前側（表側、壁部３ｋ側）には、透明な比較的薄い矩形状の入力操作パネル５（一例としてはタッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３Ａの前方（外方）へ出る。入力操作パネル５は、入力部の一例である。また、本実施形態では、一例として、表示装置４および入力操作パネル５は、第一部材３Ｆｒ、第二部材３Ｒｒ、および第三部材のうちいずれかに、例えば、固定具（固定部品、金具、例えば、ねじ、金具、部品等、図示されず）や接着部（例えば接着剤や両面テープ等、図示されず）を介して固定される（支持される）。
【００１６】
また、本実施形態では、一例として、図１に示されるように、筐体３Ａ内には、表示装置４の後側（裏側、背後側、背壁部側、表示画面４ａとは反対側）に、一つ以上の基板１２（回路基板、制御基板、メイン基板、電気部品、第一電気部品）が収容されている。基板１２は、表示装置４と並行して設けられている。基板１２は、壁部３ｋ，３ｍ，３ｎ等と離間した状態で、すなわち、壁部３ｋ，３ｍ，３ｎ等との間に空間（隙間）が形成された状態で、設けられている。
【００１７】
また、本実施形態では、一例として、基板１２には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ５１（図５参照）での音声の出力、ＬＥＤ（light  emitting  diode、図示されず）での発光等を制御する。表示装置４や、スピーカ５１、ＬＥＤ等は、出力部の一例である。
【００１８】
また、図１および図３に示されるように、壁部３ｋには、左右一対の開口部３ｑが設けられている。開口部３ｑは、第一の開口部の一例である。開口部３ｑは、表示画面４ａの長手方向に相互に間隔をあけて二つ設けられている。開口部３ｑには、複数の開口部５０ａが設けられた覆部材５０が設けられている。開口部５０ａは、第二の開口部の一例である。開口部３ｑ（覆部材５０）の設けられた領域の背後には、スピーカ５１（図５参照、、収容部品）が設けられており、このスピーカ５１の放音部５１ａ（放音面、放出部、放出面）から放出された音声（音、音波）が、開口部３ｑ（覆部材５０の開口部５０ａ）を通じて放出（出力）される。
【００１９】
図１ないし図５に示されるように、開口部３ｑは、詳細には、壁部３ｋと壁部３ｎとに亘って設けられている。したがって、開口部３ｑは、壁部３ｋに設けられた第一の部分３ｑ１（部分）と、壁部３ｎに設けられた第二の部分３ｑ２（部分）とを有する。ここで、壁部３ｋは、第一の壁部の一例であり、壁部３ｎは、壁部３ｋ（第一の壁部）に角度を有して接続された第二の壁部の一例である。
【００２０】
スピーカ５１は、開口部３ｑから露出する位置で筐体３Ａに収容されている。一例として、スピーカ５１は、開口部３ｑの第一の部分３ｑ１から露出する位置で筐体３Ａに収容されている。スピーカ５１は、放音部５１ａが開口部３ｑの第一の部分３ｑ１に対向している。スピーカ５１は、一例として、壁部３ｍに固定されている。スピーカ５１は、開口部３ｑから筐体３Ａ外部ヘ放音する。
【００２１】
覆部材５０は、一例として、概略網形状のプレートとして構成されている。覆部材５０は、概略Ｌ字状に形成されている。覆部材５０は、開口部３ｑに設けられている。一例として、覆部材５０は、少なくとも一部が開口部３ｑ内に位置されている。覆部材５０は、接着や溶着等によって筐体３Ａに固定されている。詳細には、覆部材５０は、一例として、プレート部５０ｂ（第一の部分、、第一のプレート部、壁部）と、このプレート部５０ｂに対して屈曲されたプレート部５０ｃ（第二の部分、第二のプレート部、壁部）と、を有している。プレート部５０ｂは、壁部３ｋに位置されている。プレート部５０ｂは、開口部３ｑの第一の部分３ｑ１に設けられて壁部３ｋに固定されている。プレート部５０ｃは、プレート部５０ｂに角度を有して接続され壁部３ｎに位置されている。プレート部５０ｃは、開口部３ｑの第二の部分３ｑ２に設けられて壁部３ｎに固定されている。即ち、覆部材５０は、壁部３ｋと壁部３ｎとに亘って設けられている。
【００２２】
覆部材５０は、スピーカ５１を覆っている。詳細には、プレート部５０ｂが、スピーカ５１の放音部５１ａに面している。また、覆部材５０には、複数の開口部５０ａが全体的（全域）に設けられている。つまり、プレート部５０ｂ，５０ｃには、それぞれ複数の開口部５０ａが設けられている。覆部材５０は、例えば、金属や樹脂等で構成することができる。
【００２３】
また、覆部材５０には、接触部材５２（部品、部材）が設けられている。接触部材５２は、覆部材５０に沿った形状となっている。つまり、接触部材５２は、概略Ｌ字状のプレートとして構成されている。詳細には、接触部材５２は、プレート部５０ｂに接触して設けられたプレート部５２ａ（第一の部分）と、プレート部５０ｃに接触して設けられたプレート部５２ｂと、を有している。接触部材５２の少なくとも一部は、覆部材５０のスピーカ５１とは反対側に位置されている。接触部材５２は、複数の開口部５０ａのうちの一部を覆って覆部材５０に接触して設けられている。なお、本実施形態では、覆部材５０のうち接触部材５２が設けられる（接触部材５２と重なる）領域にも開口部５０ａを設けているが、これに限るものではなく、当該領域に開口部５０ａを設けなくてもよい。接触部材５２は、覆部材５０に、かしめや接着、溶着等によって固定されている。また、接触部材５２の表面に、ロゴ等を設けてもよい。
【００２４】
以上、説明したように、本実施形態では、一例として、接触部材５２が、覆部材５０に接触して設けられている。したがって、本実施形態によれば、一例として、覆部材５０に接触部材５２の重量が作用するので、覆部材５０の振動が抑制（規制）される。よって、一例として、スピーカ５１から発せられた音（音波）が覆部材５０に伝わって、覆部材５０がその音の影響で振動するのを接触部材５２が抑制する。よって、覆部材５０が振動してびびり音等の異音が発生するのを抑制することができる。
【００２５】
また、本実施形態では、開口部３ｑが、壁部３ｋと壁部３ｎとに亘って設けられるとともに、覆部材５０も壁部３ｋと壁部３ｎとに亘って設けられている。そして、覆部材５０においては、プレート部５０ｂ，５０ｃのそれぞれに開口部５０ａが設けられている。したがって、本実施形態によれば、スピーカ５１から発せられた音が、壁部３ｋの外方（前方）と壁部３ｎの外方（前方）に向かって放出される。このとき、接触部材５２が、プレート部５０ｂ，５０ｃに接触して設けられているので、覆部材５０が振動してびびり音等の異音が発生するのを抑制することができる。また、この際、接触部材５２がスピーカ５１から発せられた音を開口部３ｑの第二の部分３ｑ２に導くので、壁部３ｎの外方（前方）に向かって音を良好に放出することができる。図５中の矢印は、音の伝達方向を概略的に示している。
【００２６】
次に、本実施形態の第１変形例を図６および図７を参照して説明する。本変形例では、接触部材５２が、筐体３Ａに固定されている。一例として、接触部材５２のプレート部５２ａが接続部材５３によって筐体３Ａの壁部３ｍに固定されている。接続部材５３は、一例として、プレート部５２ａに一体成形されている。また、接続部材５３は、壁部３ｍに接着や溶着等によって固定されている。
【００２７】
次に、本実施形態の第２変形例を図８および図９を参照して説明する。本変形例では、接触部材５２が、覆部材５０に対してスライド移動可能となっている。なお、本変形例の覆部材５０には、プレート部５０ｂが設けられておらず、覆部材５０は、プレート部５０ａによって構成されて、平板状となっている。また、接触部材５２には、プレート部５２ｂが設けられておらず、接触部材５２は、プレート部５２ａによって構成されて、平板状となっている。
【００２８】
壁３ｋにおける開口部３ｑの開口面（孔面）には、溝部３ｋ１（係部、凹部）が設けられている。一方、接触部材５２には、溝部３ｋ１にスライド可能に係った凸部５２ｃ（係部）が設けられている。かかる構成によって、接触部材５２が、覆部材５０に対してスライド移動可能となっている。接触部材５２は、開口部３ｑのうち壁部３ｋに設けられた第一の部分３ｑ１を覆う閉位置（位置、第１の位置、図８，１０）と、開口部３ｑの第一の部分３ｑ１を露出させる開位置（位置、第２の位置、図９，１１）とにスライド移動可能となっている。つまり、接触部材５２は、第一の開口部３ｑのうち壁部３ｋに設けられた第一の部分３ｑ１を開閉可能である。接触部材５２は、覆部材５０と接触しており、覆部材５０と接触しながらスライド移動（摺動）する。
【００２９】
以上の構成によれば、接触部材５２を閉位置に位置させて開口部３ｑの第一の部分３ｑ１を閉じることで、スピーカ５０の音を開口部３ｑの第二の部分３ｑ２から集中的に放出することができる。また、接触部材５２を閉位置に位置させて開口部３ｑの第一の部分３ｑ１を閉じることで、開口部３ｑの第一の部分３ｑ１から埃等が筐体３Ａ内に入ることを抑制することができる。一方、接触部材５２を開位置に位置させることで、スピーカ５０の音を開口部３ｑの第一の部分３ｑ１と第二の部分３ｑ２との両方から放出することができる。このように、本変形例によれば、音を放出する方向を調整することができる。
【００３０】
次に、本実施形態の第３変形例を図１２および図１３を参照して説明する。本変形例は、基本的には第２変形例と同様であるが、接触部材５２に蓋部材５４（シャッタ部材、壁部材）が設けられている点が第２変形例と異なる。
【００３１】
蓋部材５４は、接触部材５２の壁部３ｍ側の面に固定されている。蓋部材５４は、開口部３ｑの第二の部分３ｑ２を開閉可能となっている。蓋部材５４は、接触部材５２が閉位置に位置した場合（図１２）には、壁３ｎの内面から離間して開口部３ｑの第二の部分３ｑ２を開放する。これにより、スピーカ５０の音が開口部３ｑの第二の部分３ｑ２から集中的に放出される。一方、蓋部材５４は、接触部材５２が開位置に位置した場合（図１３）、壁３ｎの内面に当接して開口部３ｑの第二の部分３ｑ２を閉じる（覆う）。これにより、スピーカ５０の音が開口部３ｑの第一の部分３ｑ１から集中的に放出される。
【００３２】
＜第２実施形態＞
本実施形態にかかる電子機器１Ｂは、例えば、所謂ノートブック型のパーソナルコンピュータである。本実施形態では、一例として、図１４に示されるように、電子機器１Ｂは、第一筐体３Ｂ（筐体）と第二筐体２Ｂ（別の筐体）とを備える。第一筐体３Ｂ（第一部分）は、基板（図示せず）を収容する。第二筐体２Ｂ（第二部分）は、表示装置４の少なくとも一部を収容する。第一筐体３Ｂには、キーボード６（入力操作部、入力受付部、入力部）や、タッチパッド７（入力操作部、入力受付部、入力部）、クリックボタン８（入力操作部、入力受付部、入力部）等が設けられる。
【００３３】
第一筐体３Ｂと第二筐体２Ｂとは、ヒンジ部９（接続部、連結部、回動支持部、ヒンジ機構、接続機構、連結機構、回動支持機構）によって回動可能に接続されている。第一筐体３Ｂおよび第二筐体２Ｂは、ヒンジ部９により、少なくとも図１４に示される展開状態と、図示されない折り畳み状態との間で回動可能に接続されている。本実施形態では、一例として、ヒンジ部９は、第一筐体３Ｂと第二筐体２Ｂとを、回動軸Ａｘ回りに回動可能に、接続している。表示装置４の表示画面４ａは、第二筐体２Ｂの面２ａ（正面、面、面部）に設けられた開口部２ｒから露出している。また、キーボード６や、タッチパッド７、クリックボタン８等は、第一筐体３Ｂの面３ａ（上面、正面、第一面、第一面部）に露出している。折り畳み状態では、第一筐体３Ｂの面３ａと第二筐体２Ｂの面２ａとが重なり、表示画面４ａや、キーボード６、タッチパッド７、クリックボタン８等が、第一筐体３Ｂおよび第二筐体２Ｂに隠される。展開状態では、第一筐体３Ｂの面３ａおよび第二筐体２Ｂの面２ａが露出され、表示画面４ａや、キーボード６、タッチパッド７、クリックボタン８等が使用可能（視認可能あるいは操作可能）になる。
【００３４】
第二筐体２Ｂは、本実施形態では、一例として、正面視および背面視では矩形状（本実施形態では一例として長方形状）の外観を呈している。また、第二筐体２Ｂは、本実施形態では、一例として、前後方向（第二筐体２Ｂの厚さ方向）に薄い扁平な直方体状に構成されている。第二筐体２Ｂは、面２ａとこの反対側の背面（面、後面、裏面、面部）と、を有する。面２ａと背面とは略並行して（本実施形態では一例として平行に）設けられている。また、第二筐体２Ｂは、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００３５】
また、第二筐体２Ｂは、面２ａを有する壁部２ｋ（部分、プレート、フレーム、前壁部、表壁部、天壁部）と、壁部２ｋの反対側の壁部（背面を有する壁部、部分、プレート、後壁部、裏壁部、底壁部）と、を有する。壁部２ｋと背面を有する壁部とは、矩形状（本実施形態では一例として長方形状）である。また、壁部２ｋは枠状であり、壁部２ｋの反対側の壁部は板状である。また、第二筐体２Ｂは、壁部２ｋと、壁部２ｋの反対側の壁部との間に亘った面２ｐ（側面、周面）を有する四つの壁部２ｎ（部分、プレート、側壁部、端壁部、立壁部、亘部）を有する。壁部３ｋには、矩形状の開口部２ｒが設けられている。
【００３６】
さらに、第二筐体２Ｂは、複数の部品（分割体、部材）が組み合わせられて構成されている。第二筐体２Ｂは、一例としては、少なくとも壁部２ｋを含む第一部材２Ｆｒ（第一部分、前側部材、カバー、ベゼル、フレーム）と、少なくとも壁部２ｋの反対側の壁部（背面を有する壁部）を含む第二部材２Ｒｒ（第二部分、後側部材、ベース、ボトム、プレート、カバー）とを有する。また、壁部２ｎは、本実施形態では、一例として、第二部材２Ｒｒの一部として構成されている。第一部材２Ｆｒや、第二部材２Ｒｒ等は、それぞれ、金属材料や合成樹脂材料等で構成されることができる。
【００３７】
また、本実施形態では、一例として、第二筐体２Ｂ内には、表示装置４（表示部、ディスプレイ、パネル、表示部品）が収容されている。具体的には、表示装置４の、面２ａ側に位置した表示画面４ａは、開口部２ｒを介して第二筐体２Ｂの前方（外方）に露出している。使用者は、前方側から開口部２ｒを介して表示画面４ａを視認することができる。表示装置４は、正面視では矩形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid  crystal  display）や、有機ＥＬディスプレイ（ＯＥＬＤ，organic  electro-luminescent  display）、プラズマディスプレイ（ＰＤＰ，plasma  display  panel）等である。
【００３８】
また、本実施形態では、一例として、表示装置４の前側（表側、壁部２ｋ側）には、透明な比較的薄い矩形状の入力操作パネル５（一例としてはタッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部２ｋの開口部２ｒから第二筐体２Ｂの前方（外方）へ出る。入力操作パネル５は、入力部の一例である。また、本実施形態では、一例として、表示装置４および入力操作パネル５は、第一部材２Ｆｒおよび第二部材２Ｒｒのうちいずれかに、例えば、固定具（固定部品、金具、例えば、ねじ、金具、部品等、図示されず）や接着部（例えば接着剤や両面テープ等、図示されず）を介して固定される（支持される）。
【００３９】
一方、第一筐体３Ｂは、本実施形態では、一例として、正面視および背面視では矩形状（本実施形態では一例として長方形状）の外観を呈している。また、第一筐体３Ｂは、本実施形態では、一例として、上下方向（第一筐体３Ｂの厚さ方向）に薄い扁平な直方体状に構成されている。第一筐体３Ｂは、面３ａ（上面、正面、面部）とその反対側の背面（面、下面、背面、面部）と、を有する。面３ａと背面とは略並行して（本実施形態では一例として平行に）設けられている。また、第一筐体３Ｂは、平面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。また、端部３ｄ，３ｆは、短辺部の一例である。第一筐体３Ｂは、一例としては、部品（例えば、スピーカ５１）を収容する収容部として機能するとともに、重量物（部品等）を支える支部としても機能することができる。
【００４０】
また、第一筐体３Ｂは、面３ａを有する壁部３ｋ（部分、プレート、フレーム、上壁部、表壁部、天壁部）と、背面を有する背壁部（壁部、部分、プレート、下壁部、裏壁部、底壁部）と、を有する。壁部３ｋと背面を有する背壁部とは、矩形状（本実施形態では一例として長方形状）である。壁部３ｋは枠状であり、背壁部は板状である。また、第一筐体３Ｂは、壁部３ｋと背壁部との間に亘った面３ｐ（側面、周面）を有する四つの壁部３ｎ（部分、プレート、側壁部、端壁部、立壁部、亘部）を有する。壁部３ｋには、矩形状の開口部３ｒが設けられている。
【００４１】
さらに、第一筐体３Ｂは、複数の部品（分割体、部材）が組み合わせられて構成されている。第一筐体３Ｂは、一例としては、少なくとも壁部３ｋを含む第一部材３Ｕｐ（第一部分、上側部材、カバー、マスク、プレート）と、少なくとも背壁部を含む第二部材３Ｌｗ（第二部分、下部材、ベース、ボトム、プレート、カバー）とを有する。また、壁部３ｎは、本実施形態では、一例として、第二部材３Ｌｗの一部として構成されている。なお、第一筐体３Ｂは、第一部材３Ｕｐおよび第二部材３Ｌｗとは別に、これらの間に位置した第三部材（第三部分、中間部材、インナ、ミドルフレーム、ミドルプレート、図示されず）を備えることができる。第三部材の一部が、壁部３ｋ，３ｍ，３ｎの一部を構成することができる。第一部材３Ｕｐや、第二部材３Ｌｗ、第三部材等は、それぞれ、金属材料や合成樹脂材料等で構成されることができる。
【００４２】
そして、本実施形態では、一例として、第一筐体３Ｂ内には、一つ以上の基板（回路基板、制御基板、メイン基板、電気部品）が収容されている。基板は、キーボード６と並行して（本実施形態では、一例として平行に）設けられている。
【００４３】
また、本実施形態では、一例として、基板には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）、ＳＳＤ（solid  state  drive）等）、音声信号処理回路等を、含むことができる。制御回路は、表示装置４の表示画面４ａでの映像（動画や静止画等）の出力や、スピーカ５１での音声の出力、ＬＥＤ（light  emitting  diode、図示されず）での発光等を制御する。表示装置４や、スピーカ５１、ＬＥＤ等は、出力部の一例である。
【００４４】
また、図１４および図１５に示されるように、壁部３ｋには、左右一対の開口部３ｑが設けられている。開口部３ｑは、第一の開口部の一例である。開口部３ｑは、表示画面４ａの長手方向に相互に間隔をあけて二つ設けられている。開口部３ｑには、複数の開口部５０ａが設けられた覆部材５０が設けられている。開口部５０ａは、第二の開口部の一例である。開口部３ｑ（覆部材５０の開口部５０ａ）の設けられた領域の背後には、スピーカ５１（図５参照、、収容部品）が設けられており、このスピーカ５１の放音部５１ａ（放音面、放出部、放出面）から放出された音声（音）が、開口部３ｑ（覆部材５０）を通じて出力される。
【００４５】
図１４ないし図１６に示されるように、開口部３ｑは、詳細には、壁部３ｋ（第一の壁部）と壁部３ｎ（第二の壁部）とに亘って設けられている。したがって、開口部３ｑは、壁部３ｋに設けられた第一の部分３ｑ１（部分）と、壁部３ｎに設けられた第二の部分３ｑ２（部分）とを有する。ここで、壁部３ｋは、第一の壁部の一例であり、壁部３ｎは、壁部３ｋ（第一の壁部）に角度を有して接続された第二の壁部の一例である。
【００４６】
スピーカ５１は、開口部３ｑから露出する位置で第一筐体３Ｂに収容されている。一例として、スピーカ５１は、開口部３ｑの第一の部分３ｑ１から露出する位置で第一筐体３Ｂに収容されている。スピーカ５１は、開口部３ｑから第一筐体３Ｂ外部ヘ放音する。スピーカ５１は、放音部５１ａが開口部３ｑの第一の部分３ｑ１に対向している。スピーカ５１は、一例として、壁部３ｋに固定されている。一例として、スピーカ５１は、図１９に示されるように、筐体５１ｂと、筐体５１ｂから露出された放音部５１ａとを有している。筐体５１ｂには、放音部５１ａから延出するガイド部５１ｃが設けられている。また、筐体５１ｂには、弾性部材５１ｄが固定されている。この弾性部材５１ｄとガイド部５１ｃによって、放音部５１ａから発せられた音が、開口部３ｑに案内される。また、弾性部材５１ｄとガイド部５１ｃとによって音響空間が形成されている。また、一例として、スピーカ５１は、固定部材５５によって壁部３ｋに固定されている。固定部材５５は、ヒンジ部９を支持している。
【００４７】
覆部材５０は、図１５〜１７に示されるように、一例として、概略網形状のプレートとして構成されている。覆部材５０は、概略Ｌ字状に形成されている。覆部材５０は、開口部３ｑに設けられている。一例として、覆部材５０は、少なくとも一部が開口部３ｑ内に位置されている。覆部材５０は、かしめや接着、溶着等の固定部６０（図１７）によって筐体３Ａに固定されている。詳細には、覆部材５０は、一例として、プレート部５０ｂ（第一の部分、、第一のプレート部、壁部）と、このプレート部５０ｂに対して屈曲されたプレート部５０ｃ（第二の部分、第二のプレート部、壁部）と、を有している。プレート部５０ｂは、壁部３ｋに位置されている。プレート部５０ｂは、開口部３ｑの第一の部分３ｑ１に設けられて壁部３ｋに固定されている。プレート部５０ｃは、第一の部分に角度を有して接続され壁部３ｎに位置されている。プレート部５０ｃは、開口部３ｑの第二の部分３ｑ２に設けられて壁部３ｎに固定されている。即ち、覆部材５０は、壁部３ｋと壁部３ｎとに亘って設けられている。
【００４８】
覆部材５０は、スピーカ５１を覆っている。詳細には、プレート部５０ｂが、スピーカ５１の放音部５１ａに面している。また、覆部材５０には、複数の開口部５０ａが全体的に設けられている。つまり、プレート部５０ｂ，５０ｃには、それぞれ複数の開口部５０ａが設けられている。覆部材５０は、例えば、金属や樹脂等で構成することができる。また、図１７に示されるように、接触部材５２の裏面の一部には、プレート部材６２が固定されている。プレート部材６２には、開口部５０ａと連通した開口部６２ａが設けられている。
【００４９】
また、覆部材５０には、接触部材５２（部品、部材）が設けられている。接触部材５２は、覆部材５０に沿った形状となっている。つまり、接触部材５２は、概略Ｌ字状のプレートとして構成されている。詳細には、接触部材５２は、プレート部５０ｂに接触して設けられたプレート部５２ａ（第一の部分）と、プレート部５０ｃに接触して設けられたプレート部５２ｂと、を有している。接触部材５２の少なくとも一部は、覆部材５０のスピーカ５１とは反対側に位置されている。接触部材５２は、複数の開口部５０ａのうちの一部を覆って覆部材５０に接触して設けられている。なお、覆部材５０のうち接触部材５２が設けられる（接触部材５２と重なる）領域に、開口部５０ａを設けなくてもよい。接触部材５２は、覆部材５０に、かしめや接着、溶着等の固定部６１によって固定されている。接触部材５２の表面に、ロゴ等を設けてもよい。また、一例として、接触部材５２は、壁部３ｎに設けられた開口部３ｖの近傍に位置されている。
【００５０】
また、本実施形態では、一例として、第二筐体２Ｂ（可動体）は、開口部３ｑのうち壁部３ｋに設けられた部分３ｑ１を覆う位置と、当該部分３ｑ１を露出させる位置とに回動可能に第一筐体３Ｂに連結されている。これにより、第二筐体２Ｂ（可動体）を変位させることで、音を放出させる方向を調整することができる。
【００５１】
以上、説明したように、以上の本実施形態にかかる電子機器１Ｂは、上記第１実施形態にかかるテレビジョン受像機１Ａと同様の接触部材５２および接触部材５２に関連する構成を備えるため、上記第１実施形態と同様の結果が得られる。なお、接触部材５２としては、第１実施形態で説明した各変形例のものを適用してよい。
【００５２】
以上のとおり、上記各実施形態および変形例によれば、覆部材５０から異音が生じるのを抑制することができる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１Ａ…テレビジョン受像機、１Ｂ…電子機器、２Ｂ…第二筐体（可動体）、３Ａ…筐体、３Ｂ…第一筐体（筐体）、３ｋ…壁部（第一の壁部）、３ｎ…壁部（第二の壁部）、３ｑ…開口部（第一の開口部）、５０ａ…開口部（第二の開口部）、５０…覆部材、５１…スピーカ、５０ｂ…プレート部（第一の部分）、５０ｃ…プレート部（第二の部分）、５２…接触部材。
【図１】
2013232777.tif 000003
【図２】
2013232777.tif 000004
【図３】
2013232777.tif 000005
【図４】
2013232777.tif 000006
【図５】
2013232777.tif 000007
【図６】
2013232777.tif 000008
【図７】
2013232777.tif 000009
【図８】
2013232777.tif 000010
【図９】
2013232777.tif 000011
【図１０】
2013232777.tif 000012
【図１１】
2013232777.tif 000013
【図１２】
2013232777.tif 000014
【図１３】
2013232777.tif 000015
【図１４】
2013232777.tif 000016
【図１５】
2013232777.tif 000017
【図１６】
2013232777.tif 000018
【図１７】
2013232777.tif 000019
【図１８】
2013232777.tif 000020
【図１９】
2013232777.tif 000021